(57)【要約】【課題】メディア処理装置内に情報資産が書き込まれた作成済みメディアを残存させた状態でセキュリティシステムが解除されることを防止し、情報資産を保護する。【解決手段】メディアに対して少なくともデータの書き込み処理を行うメディア処理装置１において、メディアの搬送処理を制御するための基板であって、メディア処理装置１の電源５５のオン／オフを切り替えるための電源スイッチ５６が接続されたオートローダ基板５２と、作成済メディアＭの保管状態を管理するための基板であって、電源５５が接続されたジョブ管理基板５０と、を備え、オートローダ基板５２は、電源スイッチ５６をオフする信号が入力されるとジョブ管理基板５０へオフ通知を送信し、ジョブ管理基板５０は、オフ通知に応じて作成済みメディアＭが保管されていないと判定した場合に、電源５５をオフする処理を実行する。【選択図】図３
2010086613.tif 000002
【特許請求の範囲】
【請求項１】
メディアに対してデータの書き込み処理を行う書き込み部と前記メディアの搬送を行う搬送部と電源と、
前記書き込み部と前記搬送部を制御するための基板であって、前記電源のオン／オフを切り替えるための電源スイッチが接続された搬送制御基板と、
前記メディアの状態を管理するための基板であって、前記電源をオフすることが可能な管理基板と、を備え、
前記搬送制御基板は、前記電源スイッチがオフされると前記管理基板へオフ通知を送信し、
前記管理基板は、前記オフ通知に応じて、少なくとも前記メディアの処理中ではないと判定した場合または書き込み済みメディアが保管されていないと判定した場合に、前記電源をオフする処理を実行することを特徴とするメディア処理装置。
【請求項２】
前記書き込み済みメディアが排出される排出部を備え、
前記管理基板は、前記搬送部による前記書き込み済みメディアの搬送処理の実行中に、前記オフ通知を受信した場合は、排出対象となっている前記書き込み済みメディアを前記排出部まで搬送する処理が終了した後に前記電源をオフする処理を実行することを特徴とする請求項１に記載のメディア処理装置。
【請求項３】
前記メディア処理装置は、コンピュータと通信可能に接続されており、
前記管理基板は、前記コンピュータからのデータ受信中に、前記オフ通知を受信した場合は、前記データ受信が終了した後に前記電源をオフする処理を実行することを特徴とする請求項１または２に記載のメディア処理装置。
【請求項４】
前記管理基板は、前記メディアの処理中または前記書き込み済みメディアが保管されているときに、前記オフ通知を受信した場合は、前記メディアの処理が終了した後または前記書き込み済みメディアが無くなった後に、前記電源をオフする処理を実行することを特徴とする請求項１または２に記載のメディア処理装置。
【請求項５】
前記メディアを出し入れするためのカバーと、
前記カバーを施錠または解錠するための電子錠を有し、
前記管理基板は、前記電子錠を制御して、前記カバーに対し施錠または解錠することを特徴とする請求項１から４のいずれか１項に記載のメディア処理装置。
【請求項６】
メディアに対してデータの書き込み処理を行う書き込み部と前記メディアの搬送を行う搬送部と電源と、
前記書き込み部と前記搬送部を制御するための基板であって、前記電源のオン／オフを切り替えるための電源スイッチが接続された搬送制御基板と、
前記メディアの状態を管理するための基板であって、前記電源をオフすることが可能な管理基板と、を備えたメディア処理装置の電源制御方法であって、
前記搬送制御基板が前記電源スイッチがオフされたか否かを判定するステップと、
前記電源スイッチがオフされたと判定した場合に、前記管理基板へオフ通知を送信するステップと、
前記管理基板が前記オフ通知に応じて、少なくとも前記メディアの処理中ではないと判定するステップ、または書き込み済みメディアが保管されているか否かを判定するステップと、
前記メディアが処理中ではないと判定した場合または前記書き込み済みメディアが保管されていないと判定した場合に、前記電源をオフする処理を実行するステップと、を有することを特徴とするメディア処理装置の電源制御方法。
【請求項７】
前記メディア処理装置は、前記書き込み済みメディアが排出される排出部を備え、
前記管理基板が、前記オフ通知を受信したとき、前記搬送部による前記書き込み済みメディアの搬送処理の実行中であるかを判定するステップと、
前記搬送処理の実行中であると判定した場合には、排出対象となっている前記書き込み済みメディアを前記排出部まで搬送する処理が終了した後に、前記電源をオフする処理を実行するステップと、を有することを特徴とする請求項６に記載のメディア処理装置の電源制御方法。
【請求項８】
前記メディア処理装置は、コンピュータと通信可能に接続されており、
前記管理基板は、前記オフ通知を受信したとき、前記コンピュータからのデータ受信中または前記メディアの処理中であるかを判定するステップと、
前記コンピュータからのデータ受信中または前記メディアの処理中であると判定した場合には、前記データ受信が終了した後または前記メディアの処理が終了した後に、前記電源をオフする処理を実行するステップと、を有することを特徴とする請求項６または７に記載のメディア処理装置の電源制御方法。
【発明の詳細な説明】
【技術分野】
【０００１】
本発明は、メディアに対して少なくともデータの書き込み処理を行うメディア処理装置及びその電源制御方法に関する。
【背景技術】
【０００２】
データが記録されていないコンパクトディスクなどのメディアにデータを記録するメディア処理装置が知られている。メディア処理装置は、メディアにデータを記録する少なくとも１つのドライブ、メディアに適正に記録が行なわれたかどうかを検査する検査装置、メディアの記録面の裏側に貼着されているレーベル面に印刷処理を行なうプリンタ、メディアを保管する各種スタッカ、及びメディアを上記の各装置間で搬送する搬送装置等を具備した構成となっている（特許文献１参照）。
【０００３】
ところで、企業などの組織では一般にＬＡＮなどのネットワークが構築され、ネットワークには管理サーバおよび多数台のクライアントＰＣ、プリンタなどの出力端末が接続されている。かかるネットワークのユーザは、クライアントＰＣを用いて各種の文書、図形などの作成、編集を行うことができる。また、作成データを当該クライアントＰＣの内蔵メモリに保管して管理し、あるいは、ＣＤ、ＤＶＤなどの可搬型の外部記録媒体に書き込むこともできる。
【０００４】
特許文献１に記載したメディア処理装置をネットワークに接続すれば作成データをメディアに記録することもできる。記録されたメディアは、ユーザがメディア処理装置の前面の扉を開けばスタッカから容易に取り出すことができる。このため、作成データが機密度の高い情報資産であっても、容易にメディアに記録された情報資産を取得することができる。通常、機密度の高い情報資産が記録されたディスクは厳重な管理が必要であり、容易に取り出すことができないよう管理する必要がある。
【０００５】
【特許文献１】特開２０００−２６０１７２号公報
【発明の開示】
【発明が解決しようとする課題】
【０００６】
メディアの管理方法としては、例えば前面の扉に鍵を設け、外部排出の際にＩＤ・パスワード等で識別認証を行い、認証に成功した場合だけ開錠できるようなセキュリティシステムが考えられる。通常、ＩＤ・パスワード等で識別認証するセキュリティシステムは電源が供給されている間は作動しているが、電源がオフされるとセキュリティシステムは解除されてしまう。例えば、物理的な電源スイッチでハード的に電源のオン／オフを行う場合には、スイッチがオフされると無条件にセキュリティシステムが解除されてしまう。したがって、機密度の高い作成メディアをスタッカに残したまま電源スイッチがオフされる可能性がある。この場合、識別認証を行わずとも作成メディアを取り出すことができてしまう。また、複数の人が使用している場合、他の人の使用中にも拘らず電源をオフしてしまうことがある。
【０００７】
本発明は上記課題を解決するためになされたものであって、メディア処理装置内に情報資産が書き込まれた作成済みメディアを残存させた状態でセキュリティシステムが解除されることを防止し、処理中（書き込み中、搬送中）のものを含む情報資産を保護することができるメディア処理装置及びメディア処理装置の電源制御方法を提供することを目的とする。
【課題を解決するための手段】
【０００８】
上記課題を解決することのできる本発明は、メディアに対してデータの書き込み処理を行う書き込み部と前記メディアの搬送を行う搬送部と電源と、
前記書き込み部と前記搬送部を制御するための基板であって、前記電源のオン／オフを切り替えるための電源スイッチが接続された搬送制御基板と、
前記メディアの状態を管理するための基板であって、前記電源をオフすることが可能な管理基板と、を備え、
前記搬送制御基板は、前記電源スイッチがオフされると前記管理基板へオフ通知を送信し、前記管理基板は、前記オフ通知に応じて、少なくとも前記メディアの処理中（書き込み中または搬送中）ではないと判定した場合または書き込み済みメディアが保管されていないと判定した場合に、前記電源をオフする処理を実行することを特徴とする。
【０００９】
上記構成によれば、電源スイッチは搬送制御基板に接続され、電源は管理基板にオフ可能に接続されている。つまり、電源スイッチと電源をオフするものとは別基板に接続されているので、電源スイッチをオフしても、直ちに電源がオフされることはない。また、電源が接続された管理基板は、少なくともメディアの処理中ではないと判定した場合または書き込み済みのメディアが保管されていないと判定した場合に電源をオフする。すなわち、メディア処理装置内に処理中または書き込み済みメディアが保管された状態では電源がオフされることがない。このため、ＩＤ・パスワード等で識別認証を行ってから開錠する等のセキュリティシステムが維持されるので正当なメディア作成者以外の者に書き込み済みメディアを入手されることを防止することができる。すなわち、処理中または書き込み済みメディアを第３者が取り出すことはできない。
【００１０】
また、上記メディア処理装置において、前記書き込み済みメディアが排出される排出部を備え、
前記管理基板は、前記搬送部による前記書き込み済みメディアの搬送処理の実行中に、前記オフ通知を受信した場合は、排出対象となっている前記書き込み済みメディアを前記排出部まで搬送する処理が終了した後に前記電源をオフする処理を実行することを特徴とする。
【００１１】
上記構成によれば、排出対象となっている書き込み済みメディアを排出する処理が終了するまで電源がオフされることがない。例えば、書き込み済みメディアが複数枚積層されたスタッカから、特定のメディアだけを排出したい場合は、特定のメディアの上に重なっている他のメディアを搬送制御基板が１枚ずつ取り出して他のスタッカへ移動させ、特定のメディアだけを排出部へ排出する。そして、先に移動させておいた他のメディアを元のスタッカへ戻す、という一連の搬送処理を実行する必要がある。本発明によれば、このような場合は一連の搬送処理が終了するまで、電源がオフされないため、書き込み済みメディアの積層順が入れ替わってしまうことを防止することができ、書き込み済みメディアが正常に排出されることを保証することができる。
【００１２】
また、上記メディア処理装置において、前記メディア処理装置は、コンピュータと通信可能に接続されており、
前記管理基板は、前記コンピュータからのデータ受信中に、前記オフ通知を受信した場合は、前記データ受信が終了した後に前記電源をオフする処理を実行することを特徴とする。
【００１３】
上記構成によれば、データ受信中にオフ通知を受信した場合も、データ受信が終了するまで電源がオフされることがないので、受信中のデータが途切れることを防止することができる。
また、上記メディア処理装置において、前記管理基板は、前記メディアの処理中または前記書き込み済みメディアが保管されているときに、前記オフ通知を受信した場合は、前記メディアの処理が終了した後または前記書き込み済みメディアが無くなった後に、前記電源をオフする処理を実行することを特徴とする。
上記構成によれば、メディアの処理中または前記書き込み済みメディアが保管されているときにオフ通知を受信した場合も、メディアの処理が終了するまで、または書き込み済みメディアが取り出されて無くなるまで、電源がオフされることがないので、メディアの処理が途切れることを防止することができ、書き込み済みメディアが確実に取り出されるまでセキュリティを確保することができる。
また、上記メディア処理装置において、前記メディアを出し入れするためのカバーと、
前記カバーを施錠または解錠するための電子錠を有し、
前記管理基板は、前記電子錠を制御して、前記カバーに対し施錠または解錠することを特徴とする。
例えば、メディア処理装置本体側とカバー側に取り付けたフックが係合することにより施錠できる鍵を構成し、一方のフックをプランジャーなどで電磁的に移動することで、施錠、解錠できる電子錠を構成できる。
メディア処理装置内に、処理中のメディアまたは書き込み済みメディアが保管されているときなど、必要なときに施錠しておくことができる。また、電源がオフしたときに解錠することで、次のメディアを補充するなどができる。このため、第３者に処理中または書き込み済みメディアを取り出されることを防止できる。
また、電源がオフになっているときに、施錠することも可能である。この場合、メディア処理装置内に、処理中のメディアまたは書き込み済みメディアが残っていても、第３者に取り出されることを防止できる。
【００１４】
また、上記課題を解決することのできる本発明は、メディアに対してデータの書き込み処理を行う書き込み部と前記メディアの搬送を行う搬送部と電源と、前記書き込み部と前記搬送部を制御するための基板であって、前記電源のオン／オフを切り替えるための電源スイッチが接続された搬送制御基板と、前記メディアの状態を管理するための基板であって、前記電源をオフすることが可能な管理基板と、を備えたメディア処理装置の電源制御方法であって、
前記搬送制御基板が前記電源スイッチがオフされたか否かを判定するステップと、前記電源スイッチがオフされたと判定した場合に、前記管理基板へオフ通知を送信するステップと、前記管理基板が前記オフ通知に応じて、少なくとも前記メディアの処理中ではないと判定するステップ、または書き込み済みメディアが保管されているか否かを判定するステップと、前記書き込み済みメディアが保管されていないと判定した場合に、前記電源をオフする処理を実行するステップと、を有することを特徴とする。
また、前記メディア処理装置は、前記書き込み済みメディアが排出される排出部を備え、
前記管理基板が、前記オフ通知を受信したとき、前記搬送部による前記書き込み済みメディアの搬送処理の実行中であるかを判定するステップと、
前記搬送処理の実行中であると判定した場合には、排出対象となっている前記書き込み済みメディアを前記排出部まで搬送する処理が終了した後に、前記電源をオフする処理を実行するステップと、を有することを特徴とする。
また、前記メディア処理装置は、コンピュータと通信可能に接続されており、
前記管理基板は、前記オフ通知を受信したとき、前記コンピュータからのデータ受信中または前記メディアの処理中であるかを判定するステップと、
前記コンピュータからのデータ受信中または前記メディアの処理中であると判定した場合には、前記データ受信が終了した後または前記メディアの処理が終了した後に、前記電源をオフする処理を実行するステップと、を有することを特徴とする。
【発明を実施するための最良の形態】
【００１５】
以下、本発明に係るメディア処理装置及びその電源制御方法の実施形態の例を、図面を参照しつつ説明する。なお、本実施形態では、メディア処理装置の一例として、ＣＤやＤＶＤ等の円板状のメディアへのデータの書き込みやメディアのレーベル面への印刷（いずれもデータの書き込み処理）を行うディスクパブリッシャ（以下、「パブリッシャ」という。）を例示して説明する。
【００１６】
（パブリッシャの構成について）
図１は本実施形態のパブリッシャの開閉扉を開状態としたときの外観斜視図、図２はパブリッシャのケースを外した状態の前方上側から見た斜視図である。
パブリッシャ１は、例えばＣＤやＤＶＤ等の円板状のメディアへのデータの書き込みやメディアのレーベル面への印刷を行う装置であり、ほぼ直方体形状のケース２を備えている。このケース２の前面には、左右に開閉可能な開閉扉３，４（カバー）が取り付けられている。ケース２の上側左端部には、表示ランプ、操作ボタン等が配列された操作面５が設けられており、また、ケース２の下端には、下方に突出するように載置用の脚部６が左右両側に設けられている。左右の脚部６の間位置には引出機構７が設けられている。
【００１７】
正面視右側の開閉扉３は、図１に示すように、パブリッシャ１の前面側の開口部８を開閉するもので、例えば未使用（ブランク）のメディアＭを開口部８を介してセットする時、あるいは作成済みのメディアＭを、開口部８を介して取り出すときに、開閉する扉である。
また、正面視左側の開閉扉４は、図２に示すプリンタ１１のインクカートリッジ１２の入れ換え時に開閉するためのものであり、この開閉扉４を開けると、鉛直方向に配列された複数のカートリッジホルダ１３を有するカートリッジ装着部１４が露出するようになっている。
開閉扉３の端部には扉側フック９が形成され、ケース２には、開閉扉３が閉じたとき、フック９に対応する位置にケース側フック１０が形成されており、互いに係合可能となっている。ケース２の内部にはケース側フック１０と接続されている不図示のプランジャーが搭載されており、通電することによりケース側フック１０を移動でき、扉側フック９に対し係合したり係合を解除したりでき電子錠を構成する。電源オン、オフを含む動作と連動して、この電子錠を施錠、解錠することができる。
【００１８】
図２に示すように、パブリッシャ１のケース２の内部には、データ書き込み処理が行われていない複数枚（例えば５０枚）の未使用のメディアＭをスタック可能なメディア保管部としてのメディアスタッカ２１と、複数枚（例えば５０枚）の未使用のメディアＭあるいは作成済みメディアＭが保管されるメディア保管部としてのメディアスタッカ２２とが保管されるメディアＭの中心軸線が同一となるように上下に配置されている。メディアスタッカ２１及びメディアスタッカ２２は、それぞれ所定位置に対して着脱自在である。
【００１９】
上側のメディアスタッカ２１は、左右一対の円弧状の枠板２４，２５を備えており、これにより、メディアＭを上側から受け入れ、同軸に積層した状態で収容可能な構成をなしている。メディアスタッカ２１にメディアＭを収容あるいは補充する作業は、開閉扉３を開けてメディアスタッカ２１を取り出すことにより、簡単に行うことが可能となっている。
【００２０】
下側のメディアスタッカ２２も同一構造となっており、左右一対の円弧状の枠板２７，２８を備え、これによって、メディアＭを上側から受け入れ、同軸に積層した状態で収容可能なスタッカが構成されている。
【００２１】
メディアスタッカ２１及びメディアスタッカ２２の後側には、メディア搬送機構３１が配置されている。メディア搬送機構３１（以下では、「オートローダ３１」と呼ぶ。）、本体フレーム３０とシャーシ３２の天板３３との間に垂直に架け渡されている垂直ガイド軸３５を有している。この垂直ガイド軸３５に搬送アーム３６が昇降及び旋回可能な状態で支持されている。搬送アーム３６は、駆動モータ３７によって垂直ガイド軸３５に沿って昇降可能であるとともに、垂直ガイド軸３５を中心に左右に旋回可能である。
【００２２】
上下のスタッカ２１，２２及びオートローダ３１の側方の後方の部位には、上下に積層された２つのメディアドライブ４１，４１が配置され、これらメディアドライブ４１，４１の下側にプリンタ１１のキャリッジが移動可能に配置されている。
メディアドライブ４１は、メディアＭへのデータ書き込み位置とメディアＭの受け取り受け渡しを行うメディア受け渡し位置との間を移動可能なメディアトレイ４１ａをそれぞれ有している。
【００２３】
また、プリンタ１１は、メディアＭのレーベル面へ印刷可能な印刷位置とメディアＭの受け取り受け渡しを行うメディア受け渡し位置との間を移動可能なメディアトレイ４５を有している。
【００２４】
図２では、上下のメディアドライブ４１のメディアトレイ４１ａが手前に引き出されてメディア受け渡し位置にある状態及び下側のプリンタ１１のメディアトレイ４５が手前側のメディア受け渡し位置にある状態が示されている。また、１１はインクジェットプリンタであり、インク供給機構６０として各色（本実施形態ではブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００２５】
ここで、メディアスタッカ２１の左右一対の枠板２４，２５の間及びメディアスタッカ２２の左右一対の枠板２７，２８の間には、オートローダ３１の搬送アーム３６が昇降可能な隙間が形成されている。また、これら上下のメディアスタッカ２１とメディアスタッカ２２との間には、オートローダ３１の搬送アーム３６が水平に旋回して、メディアスタッカ２２の真上に位置できるように隙間が開いている。さらに、両メディアトレイ４１ａをメディアドライブ４１に押し込むと、オートローダ３１の搬送アーム３６を下降させて、メディア受け渡し位置にあるメディアトレイ４５にアクセス可能となっている。
【００２６】
オートローダ３１の搬送アーム３６は、両メディアトレイ４１ａをデータ書き込み位置に位置させ、メディアトレイ４５を奥側の印刷位置に位置させた状態で、メディアトレイ４５の高さ位置よりもさらに下側まで下降可能となっている。そして、メディアトレイ４５のメディア受け渡し位置の下方には、搬送アーム３６がこの位置まで下降してリリースしたメディアＭが通過するガイド穴であって、メディアスタッカ（別体スタッカ）が装着されるガイド穴６５が形成されている。
【００２７】
図１及び図２に示すように、引出機構７は、本体フレーム３０の下側に、本体フレーム３０から引き出して開いたり、収納して閉じたりすることが可能な引出トレイ７０を有している。引出トレイ７０には、スタッカ部７１（排出部）が下方に凹んで設けられている。引出トレイ７０が収納位置（閉位置）にあるとき、スタッカ部７１は、ガイド穴６５の下方に位置し、スタッカ部７１の中心部は、受け渡し位置にある両メディアトレイ４１ａとメディアトレイ４５の中心軸線が同一となるように位置されている。このスタッカ部７１は、ガイド穴６５を介して投入されるメディアＭを受け入れ、このメディアＭを比較的少量（例えば５枚〜１０枚程度）だけ収容する。スタッカ部７１は、メディアＭを上側から受け入れ、同軸に積層した状態で収容可能となっている。
【００２８】
収納状態にある引出トレイ７０のスタッカ部７１及びガイド穴６５には、スタッカ部７１よりもメディアＭの収容量が多いメディアスタッカ（別体スタッカ）７２が着脱可能となっている（図２参照）。このメディアスタッカ７２も、一対の円弧状の枠板７３，７４を備えており、これによって、メディアＭを上側から受け入れ、同軸に積層した状態で複数枚（例えば５０枚）収容可能となっている。一対の円弧状の枠板７３，７４の間には、オートローダ３１の搬送アーム３６が昇降可能な隙間が形成されている。また、一方の枠板７４の上部には着脱時にユーザによって把持される取っ手７５が設けられている。
【００２９】
そして、メディアスタッカ７２を取り付けた状態とすれば、下側のメディアスタッカ２２から未使用のメディアＭを取り出し、メディアドライブ４１およびプリンタ１１でデータ記録および印刷を行った後に、メディアスタッカ７２に収容することができる。
また、例えば、上側のメディアスタッカ２１および下側のメディアスタッカ２２にそれぞれの最大収容枚数（５０枚＋５０枚）の未使用のメディアＭを装填し、下側のメディアスタッカ２２の全枚数（５０枚）のメディアＭを順次処理してメディアスタッカ７２に収容し、次に、上側のメディアスタッカ２１の全枚数（５０枚）のメディアＭを順次処理して、空となった下側のメディアスタッカ２２に収容する。このようにして、上側のメディアスタッカ２１および下側のメディアスタッカ２２の最大収容枚数（５０枚＋５０枚）のメディアＭを一度に処理する（バッチ処理モード）。
【００３０】
また、メディアスタッカ７２を取り外した状態とすれば、上側のメディアスタッカ２１あるいは下側のメディアスタッカ２２から未使用のメディアＭを取り出し、メディアドライブ４１及びプリンタ１１でデータ記録及び印刷を行った後に、収納状態にある引出トレイ７０のスタッカ部７１に収容することができる。
【００３１】
これにより、その後、引出トレイ７０を引き出すことでスタッカ部７１から処理が完了したメディアＭを取り出すことができる。つまり、メディアＭへの処理中であっても、開閉扉３を閉じたまま、処理が完了したメディアＭから順に１枚ずつあるいは複数枚ずつ取り出すことができる（外部排出モード）。
【００３２】
さらに、メディアスタッカ２１あるいはメディアスタッカ２２の一方に未使用のメディアＭを収容しておき、他方に作成済みのメディアＭを収容することもできる。すなわち、メディアスタッカ２１（あるいはメディアスタッカ２２）から未使用のメディアＭを取り出し、メディアドライブ４１及びプリンタ１１でデータ記録及び印刷を行った後に、メディアスタッカ２２（あるいはメディアスタッカ２１）へ作成済みのメディアＭを収容する。
この場合、作成済みメディアＭを取り出したい場合は、取り出し対象となっている作成済みメディアＭの上に積層されている他のメディアＭを別のスタッカへ搬送し、作成済みメディアＭのみをスタッカ部７１に搬送する。その後、別のスタッカへ搬送された他のメディアＭを元のスタッカへ戻す（セキュリティモード）。
【００３３】
（メディア処理装置の内部構成について）
次に、メディア処理装置の内部処理について説明する。図３は、メディア処理装置の内部処理を説明するブロック図である。
本実施形態のメディア処理装置１は、複数のクライアントコンピュータ６１，６２，６３とＬＡＮなどのネットワークを介して通信可能に接続されており、クライアントコンピュータ６１，６２，６３から送信されるメディア発行ジョブに基づきメディア作成処理を実行する。メディア処理装置１は複数のクライアントコンピュータ６１，６２，６３によって共有されており、複数のユーザが作成したメディア発行ジョブを処理することができるようになっている。
【００３４】
図１に示すように、メディア処理装置１は主として、ジョブ管理基板５０（管理基板）、ハードディスク５１、オートローダ基板５２、プリンタ基盤５３、ドライブ基板５４、電源５５、電源スイッチ５６及び液晶ディスプレイ（ＬＣＤ５７）を備えている。
ジョブ管理基板５０は、クライアントコンピュータ６１，６２，６３から送信されたメディア作成ジョブの管理を行う。複数のメディア作成ジョブの実行や終了を管理したり、メディア作成ジョブの実行・終了状態を各クライアントコンピュータへ報告したりする。例えば、クライアントコンピュータ６１のメディア作成ジョブが正常終了したら、クライアントコンピュータ６２のメディア作成ジョブを起動するといったジョブ管理を行う。
【００３５】
また、ジョブ管理基板５０は、作成済みメディアＭの各スタッカへの収容位置をハードディスク５１内のジョブ管理テーブルによって管理する。例えば、上述したセキュリティモードにおいて、メディアスタッカ２２のメディア収容状態を図４に示すようなジョブ管理テーブルによって管理する。
例えば、クライアントコンピュータ６１のユーザ（ユーザＩＤ：ｕｓｅｒ０１，パスワード：０１２３）が作成したメディア作成ジョブＡを受け付けると、ジョブ管理基板５０はジョブＡの実行を各基板へ指示する。ジョブＡが終了するとメディアＭのジョブ管理テーブルを更新する。つまり、メディアスタッカ２２の第１層目（メディアスタッカ２２−１）にジョブＡの作成済みメディアＭが収容されたことを書き込む。このように、メディア作成ジョブを終了すると、メディア収容位置とユーザ識別情報とを対応付けて保存する。図４では、メディアスタッカ２２の第１層目から第５層目まで作成済みメディアＭが収容された状態を示している。
【００３６】
一方、メディアスタッカ２２に収容された作成済みメディアＭを取り出す際には、ユーザ識別情報の入力に応じて、識別情報と一致する作成済みメディアＭを排出するためのメディア排出ジョブを生成し実行する。例えば、識別情報としてユーザＩＤ：ｕｓｅｒ０３，パスワード：８９０１が入力されると、メディアスタッカ２２の第３層目と第４層目に収容されている作成済みメディアＭをスタッカ部７１へ排出するための排出ジョブを生成し実行する。
【００３７】
すなわち、排出対象となっているジョブＣ及びジョブＤの作成済みメディアＭの上に積層されているジョブＥの作成済みメディアＭをメディアスタッカ２１へ搬送して一時的に待避させ、ジョブＣ及びジョブＤの作成済みメディアＭのみをスタッカ部７１へ搬送する。そして、メディアスタッカ２１へ一時的に待避したジョブＥの作成済みメディアＭを元のメディアスタッカ２２へ戻す。この一連の搬送処理を排出ジョブとして生成し実行する。
排出ジョブが終了すると、図５に示すようにメディア収容位置のうちメディアスタッカ２２−３，２２−４，２２−５を更新する。これにより、メディアスタッカ２２−３にはジョブＥの作成済みメディアが収容され、メディアスタッカ２２−４及びメディアスタッカ２２−５が空き状態になる。
【００３８】
ジョブ管理基板５０には、メディア処理装置１の電源５５が接続されており、電源５５のオン／オフ制御も行う。例えば、オートローダ基板５２から電源オフ通知を受信すると、作成済みメディアＭがメディア処理装置内に収容されているか否かを判定する。この判定は、上述したジョブ管理テーブルを参照することによって行う。作成済みメディアＭが収容されていないと判定した場合に電源５５をオフする処理を実行するよう制御する。
【００３９】
また、ジョブ管理基板５０は、作成済みメディアＭの搬送処理の実行中に、オートローダ基板５２から上述したオフ通知を受信した場合は、排出指示の対象となっている作成済みメディアＭを、スタッカ部７１まで搬送する一連の搬送処理が終了するまで待機し、終了した後に電源５５をオフする処理を実行するよう制御する。
さらに、クライアントコンピュータ６１，６２，６３からのデータ受信中に、オートローダ基板５２から電源オフ通知を受信した場合は、データ受信が終了するまで待機し、終了した後に電源をオフする処理を実行するよう制御する。
また、ジョブ管理基板５０は、プリンタ基板５３によるプリンタ１１の印刷処理中の場合や、ドライブ基板５４によるメディアドライブ４１のデータ書き込み処理中に、オートローダ基板５２から電源オフ通知を受信した場合は、印刷処理信やデータ書き込み処理が終了するまで待機し、それぞれがあるいは全てが終了した後に電源をオフする処理を実行するよう制御する。なお、これらの処理に、搬送処理も含まれていてもよい。
【００４０】
オートローダ基板５２は、各ジョブに応じたオートローダ３１の搬送処理を制御する。また、オートローダ基板５２にはメディア処理装置１の電源５５のオン／オフを切り替えるための電源スイッチ５６が接続されている。電源スイッチ５６をオフする信号が入力されると、ジョブ管理基板５０へオフ通知を送信する。
【００４１】
プリンタ基板５３は、各メディア作成ジョブに基づきプリンタ１１の印刷処理を制御する。ＣＤ／ＤＶＤなどのメディアＭのレーベル面にレーベル印刷を行う。
また、ドライブ基板５４は、各メディア作成ジョブに基づきメディアドライブ４１のデータ書き込み処理を制御する。メディアＭのデータ書き込み面にデータを書き込む。
【００４２】
ＬＣＤ５７は、メディア処理装置１の各種状態を表示する。本実施形態では、電源スイッチ５６によってオフ信号が入力されたが、実際に電源オフ処理が実行できなかった場合に、その旨を表示しユーザに通知する。
【００４３】
（メディア処理装置の電源制御方法について）
次に、上述したメディア処理装置の電源制御方法について説明する。図６は、電源制御方法を説明するためのフローチャートである。
本実施形態の電源制御方法は、メディア処理装置１内に作成済みメディアＭを残存させた状態で、電源スイッチ５６のオフ信号が入力されでも、直ちに電源オフ処理を実行しないよう設定されている。すなわち、情報資産が書き込まれた作成済みメディアＭが残存している虞がある間は、電源５５をオン状態にしておきセキュリティシステムを維持することによって、正当なメディア作成者以外の者に作成済みメディアを入手されることを防止する。
以下では、セキュリティシステムを維持するために、どのように電源５５のオン／オフ処理を制御しているかについて説明する。
【００４４】
まず、オートローダ基板５２が、電源スイッチ５６によって電源５５をオフするためのオフ信号の入力を検出すると（ステップＳ１１：Ｙｅｓ）、ジョブ管理基板５０に電源スイッチ５６が押下された旨のオフ通知を送信する（ステップＳ１２）。
【００４５】
ジョブ管理基板５０はオフ通知を受信すると、作成済みメディアＭがメディアスタッカ２１，２２、スタッカ部７１及び別体スタッカ７２に作成済みメディアが収容されているか否かを判定する。上述したように、各スタッカのジョブ管理テーブルを参照することによって、作成済みメディアＭが収容されているか否かを判定することができる。収容されていると判定した場合は（ステップＳ２１：Ｙｅｓ）、電源をオフできない旨の通知をオートローダ基板５２に返す（ステップＳ２５）。オートローダ基板５２は、その通知に応じてＬＣＤ５７に作成済みメディアＭを残したまま電源をオフできない旨の表示を行う。
【００４６】
一方、ジョブ管理基板５０は各スタッカのジョブ管理テーブルを参照し、作成済みメディアＭが収容されていないと判定した場合は（ステップＳ２１：Ｎｏ）、一連の搬送処理を実行中か否かを判定する。すなわち、上述した排出ジョブの実行中であれば（ステップＳ２２：Ｙｅｓ）、電源５５をオフできない旨の通知をオートローダ基板５２に返し（ステップＳ２５）、排出ジョブが終了するまで待機してから電源オフを実行する。
【００４７】
一方、排出ジョブを実行中でなければ（ステップＳ２２：Ｎｏ）、クライアントコンピュータ６１，６２，６３からデータ受信中であるか否かを判定する。データ受信中であれば、電源をオフできない旨の通知をオートローダ基板５２に返し（ステップＳ２５）、データ受信が完了するまで待機してから電源オフを実行する。
データ受信中でない場合は（ステップＳ２３：Ｎｏ）、ジョブ管理基板５０は電源５５のオフ処理を実行する（ステップＳ２４）。
【００４８】
なお、ステップＳ１１で電源スイッチ５６の押下時間を検出して、オフ通知とともに押下時間を通知してもよい。電源スイッチ５６の押下時間に応じて、電源５５のオフ処理が実行されるよう設定することができる。例えば、３秒以上押下された旨がジョブ管理基板５０に通知された場合は、どのような動作の実行中であっても電源５５をオフし強制終了するよう設定することもできる。
このような設定を行った場合でも、電源スイッチ５６はオートローダ基板５２に接続されているので、押下時間や検出方法の設定変更を容易に行うことができる。
【００４９】
上述したように、本実施形態によれば、電源スイッチ５６はオートローダ基板５２に接続され、電源５５はジョブ管理基板５０に接続されている。つまり、電源スイッチ５６と電源５５とは別基板に接続されているので、電源スイッチ５６をオン／オフする信号が入力されても直ちに電源がオフされることがない。また、電源が接続された管理基板５０は、作成済みのメディアＭが保管されていないと判定した場合に電源５５をオフする。すなわち、メディア処理装置１内に作成済みメディアＭが保管された状態では電源５５がオフされることがない。このため、ＩＤ・パスワード等で識別認証を行ってから開錠する等のセキュリティシステムが維持されるので正当なメディア作成者以外の者に作成済みメディアを入手されることを防止することができる。
【００５０】
また、本実施形態によれば、排出対象となっている作成済みメディアＭを排出する一連の搬送処理が終了するまで電源５５がオフされることがない。図４に示したように作成済みメディアＭが５枚積層されたメディアスタッカ２２から、ジョブＣ及びジョブＤの作成メディアＭだけを排出したい場合は、その作成済みメディアＭの上に重なっているジョブＥの作成済みメディアＭをオートローダ３１が１枚ずつ取り出してメディアスタッカ２１へ移動させ、ジョブＣ及びジョブＤの作成済みメディアＭだけをスタッカ部７１へ排出する。そして、先に移動させておいたジョブＥの作成済みメディアＭを元のメディアスタッカ２２へ戻す、という一連の搬送処理を実行する必要がある。本実施形態によれば、何れかの作成済みメディアＭの搬送中に電源５５がオフされることがないため、作成済みメディアＭの積層順が入れ替わってしまうことを防止することができ、作成済みメディアＭが正当なユーザに対して排出されることを保証することができる。
【００５１】
また、本実施形態によれば、クライアントコンピュータ６１，６２，６３からのデータ受信中にオートローダ基板５２からオフ通知を受信した場合も、データ受信が終了するまで電源５５がオフされることがないので、受信中のデータが途切れることを防止し、情報資産を保護することができる。
【００５２】
また、本実施形態におけるジョブ管理基板５０は、メディア処理装置１用の専用基板である必要はなく、いわゆる一般的なＰＣ基板を採用することができる。したがって、基板作成のコストを削減することができる。また、本実施形態では、ジョブ管理基板５０がジョブ管理を行っているため、作成済みメディアＭが収容されているか否かの判定をジョブ管理テーブルを参照するだけで行うことができる。したがって、作成済みメディアＭの有無を検出するための検出機構を別途設ける必要がなく、また検出処理を行う必要もない。
また、ジョブ管理基板５０とオートローダ基板５２が共通の基板から成るように構成することも可能である。
【図面の簡単な説明】
【００５３】
【図１】本実施形態のパブリッシャの開閉扉を開状態としたときの外観斜視図である。
【図２】パブリッシャのケースを外した状態の前方上側から見た斜視図である。
【図３】本実施形態のメディア処理装置の内部処理を説明するブロック図である。
【図４】本実施形態のメディア処理装置のジョブ管理テーブルの一例である。
【図５】本実施形態のメディア処理装置の更新後のジョブ管理テーブルである。
【図６】本実施形態のメディア処理装置の電源制御方法を説明するためのフローチャートである。
【符号の説明】
【００５４】
１：パブリッシャ、５０：ジョブ管理基板、５１：ハードディスク、５２：オートローダ基板、５３：プリンタ基板、５４：ドライブ基板、５５：電源、５６：電源スイッチ、５７：ＬＣＤ、６１，６２，６３：クライアントコンピュータ。
【図１】
2010086613.tif 000003
【図２】
2010086613.tif 000004
【図３】
2010086613.tif 000005
【図４】
2010086613.tif 000006
【図５】
2010086613.tif 000007
【図６】
2010086613.tif 000008